(57)【要約】【課題】患者の上半身を患者自身が操作可能なコントローラ操作により起臥させることができて、好みの位置角度に調整でき、しかもその角度位置をメモリに記憶させた後は自動的に記憶させた位置に調整することができ、安全レバーを有して誤作動防止が可能で、安価で気軽に用いやすい、介護や看護に有用な電動座椅子を提供することにある。【解決手段】電動座椅子１の回動軸１３がモータの駆動により回動すると、一端を該回動軸１３に固定された支持棒１４ａ、１４ｂが該回動軸を中心として回動し、支持棒１４ａ、１４ｂに連結された押し上げローラ１５は回転しながら背もたれ１２の背面に沿って上下動し、背もたれ１２は下端１８を中心として倒起動して布団２の上に横になっている患者の上半身を起伏させる。【選択図】図１
2005052327.tif 000002
【特許請求の範囲】
【請求項１】
布団の頭部側の布団下に配置し、背もたれを傾動することにより、患者の上半身を任意の角度に傾斜させることのできる電動座椅子であって、該電動座椅子は、基台と、該基台の前部に下端を回動自在に取り付けられた背もたれと、該基台の後部に設置された回動軸と、該回動軸を回動させるモータと、前記回動軸と一体の支持棒の先端部に連結され前記背もたれの裏面に接するように前記支持棒により支持されている押し上げローラとからなり、一端が前記回動軸に一体的に固定され他端が前記押し上げローラに連結された前記支持棒が前記モータによって回動される前記回動軸の回動によって該回動軸を中心に回動するのに伴って、該押し上げローラが回転しながら前記背もたれの背面に沿って摺動して該背もたれを起倒動させることを特徴とする電動座椅子。
【請求項２】
請求項１に記載の電動座椅子において、該電動座椅子は、患者が操作可能なコントローラを有し、該コントローラによって、有線又は無線で、前記モータを駆動して前記背もたれの起倒動を操作することを特徴とする電動座椅子。
【請求項３】
請求項２に記載の電動座椅子において、前記コントローラは、前記背もたれの角度を患者の座りやすい角度に調整して該角度位置をメモリに記憶させることができ、該メモリに記憶させた後は、背もたれの角度が該角度位置に自動的に位置調整される機能を有することを特徴とする電動座椅子。
【請求項４】
請求項１乃至３のいずれか１項に記載の電動座椅子において、前記背もたれの起倒動をロックする安全レバーを有し、該安全レバーは患者が操作可能な位置に備えられていることを特徴とする電動座椅子。
【請求項５】
請求項１乃至４のいずれか１項に記載の電動座椅子において、該電動座椅子は、前記基台に設置されたコンプレッサと、前記背もたれに設けられた複数の空気袋を有し、該コンプレッサからの空気を所望の空気袋に送って該所望の空気袋を膨らませることを特徴とする電動座椅子。
【請求項６】
請求項５に記載の電動座椅子において、該電動座椅子は、前記基台に設置された電熱器を有し、前記コンプレッサからの空気を該電熱器によって暖めて所望の空気袋に送り、該所望の空気袋を温めることを特徴とする電動座椅子。
【請求項７】
請求項１乃至４のいずれか１項に記載の電動座椅子において、該電動座椅子は、前記背もたれに電熱線が埋設されており、該電熱線によって該背もたれを温めることを特徴とする電動座椅子。
【請求項８】
請求項１乃至４のいずれか１項に記載の電動座椅子において、該電動座椅子は、前記背もたれの内部に芳香材挿入部を有し、該芳香材挿入部に芳香材を交換自在に挿入することにより、前記芳香材挿入部から揮発性芳香成分を放出することを特徴とする電動座椅子。
【請求項９】
請求項１乃至８のいずれか１項に記載の電動座椅子において、前記背もたれに複数の永久磁石が埋設されていることを特徴とする電動座椅子。
【発明の詳細な説明】
【技術分野】
【０００１】
本発明は、電動座椅子に関し、より詳細には、患者の横臥している布団の頭部側の下に背もたれを設置し、該背もたれを患者自身が操作するコントローラにより起倒動（傾動）操作し、横臥している患者の上半身を布団と共に任意の角度に起臥操作できるようにした電動座椅子に関する。
【背景技術】
【０００２】
横臥している患者をマットと共に起臥操作する電動背上げ式ベッドは、多種製造販売されており、各種医療用や介護用に広く用いられている。また、背もたれ部の起立角度を変更調節可能とした着座用座椅子や、さらには、背もたれ部の起立角度調節を電動操作する着座用電動座椅子も市販されている。
【発明の開示】
【発明が解決しようとする課題】
【０００３】
病院等で用いられている電動ベッドは治療や介護に大変便利であるが、一般家庭で患者の介護に用いる場合にはベッドを設置する畳や床の強度が必要であるし、ベッドを設置する場所の広さも必要となる。さらに、電動ベッドは高価であるので、一般家庭で介護用に購入するのは大変であり、短期介護の場合や軽度の患者に対して、気軽に用いられにくい。
また、市販されている電動座椅子は、くつろいで座ることを目的としたもので椅子の形をしており、布団に横になっている患者の起臥に用いることはできない。
【０００４】
本発明は、上述のごとき実情に鑑みてなされたもので、布団に横になっている患者の上半身を患者自身が操作可能な有線または無線のコントローラ操作により起臥させることができ、かつ、好みの位置角度に調整でき、しかもその角度位置をメモリに記憶させた後は自動的に記憶させた位置に調整することができて、かつ背もたれの起倒動をロックする安全レバーを有して誤作動防止が可能であり、安価で短期介護の場合や軽度の患者に対しても気軽に用いやすく、介護や看護に有用な電動座椅子を提供することにある。
【課題を解決するための手段】
【０００５】
請求項１の発明は、布団の頭部側の布団下に配置し、背もたれを傾動することにより、患者の上半身を任意の角度に傾斜させることのできる電動座椅子であって、該電動座椅子は、基台と、該基台の前部に下端を回動自在に取り付けられた背もたれと、該基台の後部に設置された回動軸と、該回動軸を回動させるモータと、前記回動軸と一体の支持棒の先端部に連結され前記背もたれの裏面に接するように前記支持棒により支持されている押し上げローラとからなり、一端が前記回動軸に一体的に固定され他端が前記押し上げローラに連結された前記支持棒が前記モータによって回動される前記回動軸の回動によって該回動軸を中心に回動するのに伴って、該押し上げローラが回転しながら前記背もたれの背面に沿って摺動して該背もたれを起倒動させることを特徴としたものである。
【０００６】
請求項２の発明は、請求項１に記載の電動座椅子において、該電動座椅子は、患者が操作可能なコントローラを有し、該コントローラによって、有線又は無線で、前記モータを駆動して前記背もたれの起倒動を操作することを特徴としたものである。
【０００７】
請求項３の発明は、請求項２に記載の電動座椅子において、前記コントローラは、前記背もたれの角度を患者の座りやすい角度に調整して該角度位置をメモリに記憶させることができ、該メモリに記憶させた後は、背もたれの角度が該角度位置に自動的に位置調整される機能を有することを特徴としたものである。
【０００８】
請求項４の発明は、請求項１乃至３のいずれか１項に記載の電動座椅子において、前記背もたれの起倒動をロックする安全レバーを有し、該安全レバーは患者が操作可能な位置に備えられていることを特徴としたものである。
【０００９】
請求項５の発明は、請求項１乃至４のいずれか１項に記載の電動座椅子において、該電動座椅子は、前記基台に設置されたコンプレッサと、前記背もたれに設けられた複数の空気袋を有し、該コンプレッサからの空気を所望の空気袋に送って該所望の空気袋を膨らませることを特徴としたものである。
【００１０】
請求項６の発明は、請求項５に記載の電動座椅子において、該電動座椅子は、前記基台に設置された電熱器を有し、前記コンプレッサからの空気を該電熱器によって暖めて所望の空気袋に送り、該所望の空気袋を温めることを特徴としたものである。  
【００１１】
請求項７の発明は、請求項１乃至４のいずれか１項に記載の電動座椅子において、該電動座椅子は、前記背もたれに電熱線が埋設されており、該電熱線によって該背もたれを温めることを特徴としたものである。
【００１２】
請求項８の発明は、請求項１乃至４のいずれか１項に記載の電動座椅子において、該電動座椅子は、前記背もたれの内部に芳香材挿入部を有し、該芳香材挿入部に芳香材を交換自在に挿入することにより、前記芳香材挿入部から揮発性芳香成分を放出することを特徴としたものである。
【００１３】
請求項９の発明は、請求項１乃至８のいずれか１項に記載の電動座椅子において、前記背もたれに複数の永久磁石が埋設されていることを特徴としたものである。
【発明の効果】
【００１４】
本発明によると、電動座椅子は、布団に横になっている患者の上半身を有線または無線のコントローラ操作により電動で起臥させることができて、予め記憶させた好みの角度位置に自動的に調整することができるので、患者の背ずれの防止ができ、目線が変わることでリラックス効果があり、患者の気分の向上が得られる。また、看護又は介護の時には、患者の着替えや食事の介助が楽に行え、看護又は介護者の負担を軽減することができる。さらに、電動座椅子の背もたれに複数設けた空気袋をふくらませて弾力性を高めたり、温風や電熱線で背もたれを暖めたり、背もたれに芳香材や永久磁石を用いたりすることによって、患者の快適性を高め、健康を増進することが可能である。
【００１５】
更には、電動座椅子は患者が横になっている布団の下に設置するだけなので、場所をとらず、畳や床の強度も必要としないし、電動ベッドと比較して安価で経済的なので、一般家庭での患者の介護、特に、短期介護の場合や軽度の患者に対して気軽に用いることができる。さらに、健常者にとっても、休憩しながらテレビを見る場合等に利用できる。
【発明を実施するための最良の形態】
【００１６】
図１は、本発明の電動座椅子の一実施例を示す斜視図で、電動座椅子１は、患者が横になっている布団２の頭部側の下に配置され、布団２に横になっている患者の上半身を、介護又は看護者あるいは患者自身のコントローラ３の操作により、任意の角度に起臥させることができる。
【００１７】
図１において、１１は本発明による電動座椅子１の基台、１２は該基台１１の前部に下端を回動自在に取り付けられた背もたれ、１６は基台１１の後端に設置されたモータやコンプレッサ等の収納部、１３は該基台１１の後部に設置され前記収納部１６内に設けられたモータによって回動される回動軸、１５は該回動軸１３の左右両端に一体的に取り付けられた支持棒１４ａ、１４ｂの先端部に回動可能に取り付けられた押し上げローラで、該押し上げローラ１５は該支持棒１４ａ、１４ｂにより常に該背もたれ１２の背面にローラ面が接するように支持されている。回動軸１３がモータの駆動により回動すると、一端を該回動軸１３に固定された支持棒１４ａ、１４ｂが該回動軸を中心として回動し、支持棒１４ａ、１４ｂに連結された押し上げローラ１５は回転しながら背もたれ１２の背面に沿って上下動する。この押し上げローラ１５の上下動により背もたれ１２は、下端１８を中心として倒起動して、布団２の上に横になっている患者の上半身を起伏させる。
【００１８】
図２は、図１に示したコントローラの一例を示す図で、介護又は看護者あるいは患者自身は、該基台１１に接続されたコントローラ３の上下ボタン２３ａ、２３ｂを押すことによって、該背もたれ１２の起倒動を操作し、好みの位置角度に調整することができる。
【００１９】
また、好みの位置角度に調整後、コントローラ３のM/A（メモリ／オート）ボタン２２を押すと、好みの位置角度としてメモリされ、以降、M/A（メモリ／オート）ボタン２２を押すと、背もたれ１２は前述の調整した好みの位置角度に自動的に調整され、背もたれ１２の角度を再度調整する必要はない。
【００２０】
電動座椅子１は安全レバー１７を有しており、電動座椅子１の背もたれ１２の倒起動に先立って安全レバー１７のロックを外し、好みの位置角度に調整した時にロックする必要があるが、安全レバー１７のロックを外さないかぎりコントローラ３のメインボタン２１を押しても起動しないので、誤作動を防止することができる。
【００２１】
図３は、本発明における電動座椅子のさらなる実施例を示す斜視図である。電動座椅子１は、背もたれ１２に複数の空気袋３１ａ〜３１ｉを有しており、該空気袋３１ａ〜３１ｉは該背もたれ１２の内部に埋設された空気チューブ３２でつながっている。該空気袋３１ａ〜３１ｉに、前記基台１１の後部の前記収納部１６内に設置されたコンプレッサからの空気を送り該空気袋３１ａ〜３１ｉを膨らませて前記背もたれ１２の弾力性を高めることができる。
【００２２】
また、前記収納部１６内には電熱器が設置されており、前記コンプレッサから排出された空気を該電熱器により暖め、該空気袋３１ａ〜３１ｉに温風を送ることにより、該背もたれ１２を温め、布団に横になった患者の背中を暖めることができる。
【００２３】
本発明は、図示例に限定されるものではなく、前記空気袋３１ａ〜３１ｉを各々独立に電磁弁等を介して空圧源に接続し、各電磁弁を開閉させて所望の空気袋のみを膨張させるようにし、或いは温めるようにし、患者の所望の部位のみ加圧し、或いは温めるようにすることもできる。
【００２４】
更には、前記背もたれ１２に電熱線を埋設し、該電熱線によって該背もたれ１２を温めて、布団に横になった患者の背中全体をあるいは肩や腰を部分的に暖めるようにすることもできる。この場合も、複数の電熱線を設けておき、所望の電熱線のみを加熱し、患者の所望の部位を温めるようにすることもできる。
【００２５】
図４は図３に示した背もたれ１２の頭部側を説明するための図で、電動座椅子１は該背もたれ１２の頭部側上端の内部に、芳香材挿入部３３が設けられており、該芳香材挿入部３３に固形芳香剤あるいは芳香油を付した綿、ティッシュ、布等の芳香材３５を交換自在に挿入し、該芳香材挿入部３３の開口３４ａ、３４ｂから揮発性芳香成分を放出することにより、布団に横になった患者の気分を和らげることができる。また、前記背もたれ１２に設けられた前記空気袋３１ａ〜３１ｉに温風を送ることによって、あるいは前記背もたれ１２に埋設され電熱線で該背もたれを温めることにより前記揮発性芳香成分をより放出させることできる。
【００２６】
本発明は、図示例に限定されるものではなく、前記芳香材挿入部３３を前記背もたれ１２の両側面の内部に設けて、該芳香材挿入部３３に前記芳香材を挿入して該芳香材の揮発性芳香成分を放出させることもできる。
【００２７】
さらに、図３の電動座椅子１は、前記背もたれ１２に複数の永久磁石３６が埋設されており、該磁石３６からの磁力線によって布団に横になった患者の筋肉疲労や血行促進を図ることができる。
【図面の簡単な説明】
【００２８】
【図１】本発明による電動座椅子の一実施例を示す斜視図である。
【図２】図１に示したコントローラの一例を示す図である。
【図３】本発明による電動座椅子のさらなる実施例を示す斜視図である。
【図４】図３に示した背もたれの頭部側を説明するための図である。
【符号の説明】
【００２９】
１…電動座椅子、２…布団、３…コントローラ、１１…基台、１１a…挿入部、１２…背もたれ、１３…回動軸、１４ａ、１４ｂ…支持棒、１５…押し上げローラ、１６…収納部、１７…安全レバー、１８…背もたれ下端、２１…メインボタン、２２…メモリ／オートボタン、２３ａ，２３ｂ…背もたれの起倒ボタン、３１ａ〜３１ｉ…空気袋、３２…空気チューブ、３３…芳香材挿入部、３４ａ，３４ｂ…芳香材挿入部の開口、３５…芳香材、３６…磁石。
【図１】
2005052327.tif 000003
【図２】
2005052327.tif 000004
【図３】
2005052327.tif 000005
【図４】
2005052327.tif 000006